(57)【特許請求の範囲】
【請求項１】
少なくとも１つの第１清掃要素（１１１）が取り付けられた清掃面、及び、当該清掃面に対向する第２面を有する第１支持体（１１０）と、
少なくとも１つの第２清掃要素（１２１）が取り付けられた清掃面を有する第２支持体（１２０）と、
前記清掃面から前記第２面まで延在するように前記第１支持体（１１０）に形成された少なくとも１つの開口部（１３０）と、
を備え、
前記第２清掃要素（１２１）は、前記開口部（１３０）を通って延在しており、
前記第２支持体（１２０）の前記清掃面が、前記第１支持体（１１０）の前記第２面の下方にあり、かつ、前記開口部を超えて延在するように、前記第２支持体（１２０）が前記第１支持体（１１０）の下方に配置されており、
前記第１支持体（１１０）及び前記第２支持体（１２０）が、互いに対して相対運動を行うように配置されており、
前記第１支持体（１１０）及び前記第２支持体（１２０）が、互いに対して可動に連結されており、
前記第１清掃要素（１１１）及び前記第２清掃要素（１２１）の少なくとも一方が、剛毛又は剛毛束として実現されており、
前記第２支持体（１２０）が、当該口腔清掃部分（１０）の長手方向伸長軸（Ｌ）に本質的に平行な縦軸（Ｗ）のまわりを振動拭い運動を行うように配置されている、口腔清掃部分（１０）。
【請求項２】
駆動装置により引き起こされた運動を前記第１支持体（１１０）又は前記第２支持体（１２０）の少なくとも一方に伝達するための連結要素（１７０）を更に含んでいる、請求項１に記載の口腔清掃部分。
【請求項３】
前記第１支持体（１２０）が、前記第２支持体（１１０）を少なくとも部分的に包囲するように配置されている、請求項１又は２に記載の口腔清掃部分。
【請求項４】
前記第２支持体の第２面が、当該口腔清掃部分の外面を形成している、請求項３に記載の口腔清掃部分。
【請求項５】
少なくとも１つの第１清掃要素（１１１）の第１列（１１２）が、前記第１支持体（１１０）に取り付けられており、
少なくとも１つの第２清掃要素（１２１）の第２列（１２２）が、前記第２支持体（１２０）に取り付けられており、
前記第２清掃要素（１２１）の第２列（１２２）は、前記開口部（１３０）を通って延在している、請求項１〜４のいずれか一項に記載の口腔清掃部分。
【請求項６】
前記第１清掃要素（１１１）の外縁部と前記第２清掃要素（１１２）の外縁部との間の距離（ｄ）が、１．６ｍｍ未満である、請求項１〜５のいずれか一項に記載の口腔清掃部分。
【請求項７】
第３支持体（１５０）が、当該口腔清掃部分（１０）を遠位端で終結させており、
前記第３支持体（１５０）は、前記第２支持体（１２０）と固定するように接続されている、請求項１〜６のいずれか一項に記載の口腔清掃部分。
【請求項８】
当該口腔清掃部分（１０）が、歯ブラシ（１）のハンドル部分（２０）に取外し可能に接続するために交換ブラシヘッドとして実現されている、請求項１〜７のいずれか一項に記載の口腔清掃部分。
【請求項９】
前記第１支持体（１１０）が、少なくとも２つの開口部（１３０）を有しており、
少なくとも２つの第２清掃要素（１２１）の第２列（１２２）が、前記第２支持体（１２０）に取り付けられており、
前記第２清掃要素（１２１）の第２列（１２２）のそれぞれが、前記２つの開口部（１３０）の１つを通って延在している、請求項１〜８のいずれか一項に記載の口腔清掃部分。
【請求項１０】
請求項１〜９のいずれか一項に記載の口腔清掃部分（１０）を含む、口腔清掃装置（１）。
【請求項１１】
前記口腔清掃部分（１０）が取外し可能に接続されるハンドル部分（２０）を更に含む、請求項１０に記載の口腔清掃装置。
【請求項１２】
歯ブラシとして実現される、請求項１０又は１１に記載の口腔清掃装置。
【発明の詳細な説明】
【技術分野】
【０００１】
本発明は、口腔清掃部分に関し、特には少なくとも１つの第１清掃要素が取り付けられた第１支持体と、少なくとも１つの第２清掃要素が取り付けられた第２支持体とを有する口腔清掃部分に関する。
【背景技術】
【０００２】
米国特許出願公開第２００８／０３０７５９１  Ａ１号は、口腔清掃部分として電動歯ブラシに使用するためのブラシ部分を開示している。ブラシ部分は、第１の複数個の接触要素を支持するブラシヘッド部分と、第２の複数個の接触要素を支持する可動接触要素ホルダーとを有する。いくつかの実施形態では、第１の複数個の接触要素の複数の列は、第２の複数個の接触要素の列により分離されている。
【０００３】
それぞれの支持構造体は、支持構造体を破損又は過度に変形することなく接触要素の取り付け可能な幅を有する必要があり、特に第１及び第２の複数個の接触要素の接触要素の列が交互に配列されていると、接触要素を列方向に垂直に高密度化できない。
【先行技術文献】
【特許文献】
【０００４】
【特許文献１】米国特許出願公開第２００８／０３０７５９１  Ａ１号
【発明の概要】
【発明が解決しようとする課題】
【０００５】
したがって、第１及び第２清掃要素の互いに対する相対運動を考慮しながら、高密度の第１及び第２口腔清掃要素を可能にする、口腔清掃部分を提供することが望ましい。
【課題を解決するための手段】
【０００６】
言及した要望を満たす口腔清掃部分は、請求項１に従って与えられる。更なる実施形態は、従属請求項によって与えられる。
【０００７】
提案される口腔清掃部分は、少なくとも１つの第１清掃要素が取り付けられた清掃面を有する第１支持体と、少なくとも１つの第２清掃要素が取り付けられた清掃面を有する第２支持体と、を備える。第１支持体には、少なくとも１つの開口部が提供される。第２支持体は、第１支持体の清掃面に対して第１支持体の下方に配置されている（すなわち、第１支持体の清掃面が、清掃される口腔部位に面するよう意図された構成の最も外側にある面を画定するように、第１及び第２支持体は互いの上に配置されている）。更に、第２支持体の清掃面は、開口部を超えて横方向に延在しており、すなわち、第２支持体は、少なくとも横方向で第１支持体と重なり合っており、これは、支持体が（その取り付け面だけでなく）互いの下方に配置される場合に可能になる。第２清掃要素は、開口部を通って延在している。第１支持体及び第２支持体は、互いに対して相対運動を行うように配置されている。第１支持体及び第２支持体は互いの上に配置されるため、これにより、第１及び第２清掃要素をそれぞれ第１及び第２支持体に取り付けるために必要な壁厚で重なり合うことが可能となる。これは、米国特許出願公開第２００８／０３０７５９１  Ａ１号で知られる構成に比べて、提案される構成では第１及び第２清掃要素をより接近させることができるため、形成される清掃要素領域により高密度の清掃要素をもたらす。第１及び／又は第２清掃要素は、剛毛束による剛毛体（bristlesor）により実現可能であるが、これは、軟質エラストマー清掃構造体として清掃要素を実現し得ることを排除するものではない。
【０００８】
提案される口腔清掃部分の実施形態では、第１支持体及び第２支持体は、互いに対して可動に連結され、例えば、第２支持体は、小規模な実現で相対運動が可能なように第１支持体により支持され得る。
【０００９】
提案される口腔清掃部分の別の実施形態では、第２支持体は、口腔清掃部分の長手方向伸長軸に本質的に平行な縦軸のまわりを振動拭い運動を行うように配置されている。したがって、動作時に、口腔清掃部分が口腔内に達すると、第２清掃要素は、手動歯ブラシのユーザーが歯の清掃に用いるであろう拭い運動と同様の振動拭い運動を行うが、提案される実施形態では、ユーザーは口腔清掃部分を積極的に動かす必要はない。
【００１０】
提案される口腔清掃部分の更なる実施形態では、口腔清掃部分は、駆動装置により引き起こされた運動を第１又は第２支持体の少なくとも一方に伝達するための連結要素を含む。
【００１１】
提案される口腔清掃部分の更に別の実施形態では、第１支持体は、第２支持体を少なくとも部分的に包囲するように配置されている。第１支持体は、第２支持体を内部空洞に収容するように設計されてもよい。特には、第２支持体は、口腔内に存在する組織に接触させられ得るように口腔清掃部分の裏側に露出された第２面を有することができる。第２面は、例えば舌の清掃に好適なテクスチャー、すなわち、粗さ、又は構造体を有していてもよい。
【００１２】
この点において、本発明の態様によると、口腔清掃部分は、取り付け構造体と、少なくとも１つの清掃要素が取り付けられた清掃面、及び、清掃面に対向する第２面を有する第２支持体とを有し、第２面は、舌などの口腔内に存在する組織に接触させられ得るように露出されており、第２面は、テクスチャーを施されてもよい。
【００１３】
提案される口腔清掃部分の更に別の実施形態では、少なくとも１つの第１清掃要素の第１列が、第１支持体に取り付けられており、少なくとも１つの第２清掃要素の第２列が、第２支持体に取り付けられており、第２清掃要素の第２列は、開口部を通って延在している。いくつかの第２清掃要素の第２列の１つが、それぞれ１つの開口部を通って延在するように、いくつかの開口部が第１支持体に形成されてもよく、第１列及び第２列を交互に配置するように、いくつかの第１清掃要素の第１列が第１支持体に取り付けられてもよい。このような実施形態では、列伸長方向に垂直な方向で高密度の清掃要素を実現することができる。
【００１４】
提案される口腔清掃部分の実施形態では、第１清掃要素の外縁部と第２清掃要素の外縁部との間の距離は、１．６ｍｍ未満、例えば、１．４ｍｍ未満、又は１．２ｍｍ未満であり、特にはこの距離は約１．０ｍｍであってもよい。これは、取り付けに必要な壁厚が重なり合っている場合にのみ実現可能であり、第１及び第２支持体が積み重なった構成により与えられる。
【００１５】
提案される口腔清掃部分の別の実施形態では、第３支持体が口腔清掃部分を遠位端で終結させており（遠位端とは、取り付けられた状態で口腔清掃装置のハンドル部分から遠方にある末端部であり、すなわち、清掃部分の近位端は、ハンドル部分に連結するよう意図された末端部である）、第３支持体は第２支持体に固定するように接続されている。このような構成では、第３支持体は、第１支持体に対して第２支持体と同じ相対運動、例えば、縦軸のまわりの振動拭い運動を行うであろう。口腔清掃部分を終結させるように配置された支持体の特有の構成は、それ自体、前述した他の機能とは独立する新規性とみなされ得る。対応の支持体は、特には、口腔清掃部分の長手方向伸長軸に平行な縦軸のまわりを振動拭い運動を行うように配置されてもよい。
【００１６】
口腔清掃部分は、歯ブラシ、特には電動歯ブラシのハンドル部分に取外し可能に接続するために交換ブラシヘッドとして実現され得る。
【００１７】
本発明は、更に、提案される口腔清掃部分を使用する口腔清掃装置（電動歯ブラシ又は手動歯ブラシなど）に関する。口腔清掃装置が手動歯ブラシとして実現される場合、口腔清掃部分は手動歯ブラシのハンドルと一体化されてもよい。口腔清掃装置は、口腔清掃部分が取外し可能に取り付けられるハンドル部分を含むことができる。手動歯ブラシでは、第２支持体を動かすために使用可能な作動装置を提供してもよい。
【図面の簡単な説明】
【００１８】
本発明は、例示の実施形態の説明、及び図の参照によって更に解明される。図中、
【図１Ａ】電動歯ブラシの取外し可能なブラシヘッドとして実現された、提案される口腔清掃部分の側面図。
【図１Ｂ】図１Ａに示される口腔清掃部分の清掃面の正面図。
【図２】図１Ｂに示される口腔清掃部分を線Ａ−Ａに沿って切断した縦断面図。
【図３】剛毛束が取り付けられていない、図１Ｂに示される口腔清掃部分のヘッド部分の清掃面の正面図。
【図４】図３に示される口腔清掃部分のヘッド部分の前側部分を線Ｂ−Ｂに沿って切断した縦断面図。
【図５】図４に示される口腔清掃部分のヘッド部分を線Ｃ−Ｃに沿って切断した階段状断面図。
【図６】提案される取外し可能な口腔清掃部分を備える電動歯ブラシとして実現された口腔清掃装置の斜視図。
【発明を実施するための形態】
【００１９】
図１Ａは、提案される口腔清掃部分１０の例示の実施形態の側面図である。図示された実施形態では、口腔清掃部分１０は、口腔清掃装置のハンドル部分に取外し可能に接続するために取外し可能なブラシヘッドとして実現される（図６に、電動歯ブラシとして実現された例示の口腔清掃装置を示す）。口腔清掃部分１０は、ヘッド部分１００と管状取り付け構造体１９０とを備える。口腔清掃部分１０のヘッド部分１００は、歯、歯肉、粘膜、又は舌面などの口腔内の領域の効果的な清掃を可能にするために、当該技術分野においてよくあるように、ヘッド部分１００から口腔清掃部分の長手方向伸長方向Ｌに垂直な方向に本質的に延在する清掃要素領域１０１を含む（ここでは剛毛束領域として実現される）。別の実施形態では、口腔清掃部分は、（電池式又は充電式）電動歯ブラシ又は手動歯ブラシのハンドル部分と一体化されている。
【００２０】
取り付け構造体１９０は、ヘッド部分１００に向けてわずかに先細りする管１９１を含み、口腔清掃部分１０のヘッド部分１００の第１支持体１１０と一体化するように実現される。管１９１は、口腔清掃装置のハンドル部分から延出する駆動軸などを収容するため、及び口腔清掃部分を口腔清掃装置のハンドル部分に取外し可能に取り付けるため、ヘッド部分１００に対する遠位端に開口部１９２を有する。
【００２１】
第１支持体１１０は、第１清掃要素１１１（ここでは剛毛束として実現される）が取り付けられた清掃面１１３を有しており、第１清掃要素１１１は清掃要素領域１０１の要素である。第１支持体１１０は、口腔清掃部分１０の一体化部分であり、例えば、単一のプラスチック射出成形法により管１９１と共に製造され得る。第１清掃要素１１１は、取り付け構造体１９０に対して固定されているため、口腔清掃部分１０の静的清掃要素とみなされ得る。口腔清掃装置のハンドル部分に取り付けるとき、第１支持体１１０は、動作時に駆動されなくてもよいが、管１９１及びハンドル部分に対して静止したままであってもよい。別の実施形態では、清掃部分１０全体が、付加的に運動（例えば、長手方向伸長方向Ｌにおける往復振動）を行うように駆動される。第１清掃要素１１１は、取り付け構造体１９０に対して動かないように固定されている（すなわち、静止している）。
【００２２】
ヘッド部分１００は、（図２及び図４に関して更に述べるように）口腔清掃部分１０の可動に支持された部分である第２支持体１２０を更に含む第２清掃要素１２１（ここでは同様に剛毛束として実現される）は、第２支持体１２０の清掃面に取り付けられており、第２清掃要素１２１が、ここでは同様に清掃要素領域１０１の要素であり、かつ、第１清掃要素１１１のすぐ近くに配置されるように、第２清掃要素１２１は、第１支持体１１０に形成された開口部１３０を通って延在している。第１清掃要素１１１及び第２清掃要素１２１は、手動又は電動歯ブラシのブラシヘッドから既知のように、清掃要素領域１０１（ここでは剛毛束領域）を形成する。電動口腔清掃装置のハンドル部分に取り付けるとき、第２支持体１２０は、電動口腔清掃装置の駆動軸に連結され得る。動作時に、第２支持体１２０は、口腔清掃部分１０の長手方向伸長軸Ｌに本質的に平行な縦軸のまわりを弓状振動運動（すなわち、振動拭い運動又は湾曲運動）を行うように駆動されるであろう。動作時に、第２清掃要素１２１は、（ここでは取り付け構造体１９０に対して静止したままであろう）第１清掃要素１１１に対して運動するであろう。一般に、第１支持体１１０及び第２支持体１２０は、互いに対して相対運動を行うように配置されており、したがって別の実施形態では、第１支持体及び第２支持体は、互いに対して及び取り付け構造体に対して共に相対運動を行うように配置されている。第２清掃要素１２１の、縦軸のまわりの振動拭い運動は、ユーザーが手動口腔清掃装置（例えば、手動歯ブラシ）で行うであろう運動と非常によく似ている。したがって、提案される口腔清掃部分１０の図示された実施形態は、ブラシヘッドが実行可能な他の運動とは異なり、一部のユーザーに好まれ得る自然な運動感覚を支持する。
【００２３】
第２支持体１２０は、ヘッド部分１００の裏側の開口部を通って延在している第２面１２４を有する（すなわち、第１支持体は、第２支持体１２０の第２面１２４が露出されるように、第２支持体１２０の清掃面を覆い、更に第２支持体１２０を部分的に包囲するよう設計されている、つまり第２支持体１２０は、ここでは、第１支持体１１０に部分的に収容されていると言うことができる）。したがって、動作時に、第２清掃要素１２１が取り付け構造体１９１に対して運動するだけでなく、第２支持体１２０の第２面１２４も運動するため、ヘッド部分１００の裏側に可動面が提供される。これを使用して、例えば、第２支持体１２０の第２面１２４にテクスチャーが施されることにより、舌の清掃に好適な舌クリーナー構造体を提供することができる（例えば、第２面１２４を粗面にすることにより、又は裏側に構造体を提供することにより、エラストマー材などの更なる材料の層を第２面１２４に適用することでテクスチャーを提供してもよい）。
【００２４】
ここで、ヘッド部分と、そのヘッド部分に可動に支持された少なくとも１つの支持体とを有する口腔清掃部分を提供することは、それ自体発明とみなされることに留意すべきであり、可動支持体は、清掃要素が取り付けられた第１面と、ヘッド部分の裏側に露出された第２面とを有し、裏側は、清掃要素が延在しているヘッド部分の前側に対向する。
【００２５】
図示された例示の実施形態では、ヘッド部分１００は、口腔清掃部分１０の遠位端を終結させる第３支持体１５０を更に含む。第３支持体１５０は、第３清掃要素１５１（ここでは再度剛毛束として実現される）が取り付けられた清掃面を有する。第３清掃要素１５１の伸長方向は、第１清掃要素１１１及び第２清掃要素１２１の伸長方向が、口腔清掃部分１０の清掃面に本質的に垂直であるのに対し、口腔清掃部分１０の清掃面に対して若干（外側に）傾斜している。図示された実施形態では、第３支持体１５０は、第２支持体１２０と一体化されている。口腔清掃部分の遠位端を終結させ、更に口腔清掃部分１０の長手方向伸長軸に本質的に平行な縦軸のまわりを振動拭い運動を行うこのような可動支持体の提供は、それ自体独立した新規性であり、更に本発明の状況において任意の機能とみなされる。
【００２６】
第１清掃要素１１１又は第２清掃要素１２１又は第３清掃要素１５１がそれぞれ剛毛束として実現される場合、当該技術分野において既知の方法、例えば、ステープリング（stapling）（アンカーリング（anchoring））、アンカーフリータフティング（anchor free tufting）（ＡＦＴ）、又はインモールド法により、第１支持体１１０、第２支持体１２０、又は第３支持体１５０にそれぞれ取り付けてもよい。剛毛又は剛毛束の代わりに、清掃要素の少なくとも一部は、例えば、マッサージを行って、口腔組織から壊死組織片を穏やかに除去するために軟質かつ可撓性のエラストマーフィンガーとして、又は歯間の空隙内を清掃するために薄型かつ可撓性のフラップなどとして実現されてもよい。
【００２７】
図１Ｂは、図１Ａに示される口腔清掃部分１０の清掃面１１３の正面図である。図１Ａで既に示した同じ機能は同じ参照番号を有しており、上記の説明を参照されたい。正面図では、第１清掃要素１１１及び第２清掃要素１２１が、交互の列に配置されていることが分かる。第１清掃要素１１１は、第１清掃要素の第１列１１２を形成し、第２清掃要素１２１は、第２清掃要素の第２列１２２を形成する。ここでは、それぞれ３つの二重束を有する３列の第１列１１２と、それぞれ２つの二重束を有する３列の第２列１２２とが、縦方向に交互に配置されている。ここで示されるように、清掃要素の列は、その静止位置では中央に配置され得る。したがって、動作時に、清掃要素の１つおきの列が駆動され、口腔清掃部分１０の長手方向伸長軸に本質的に垂直な平面で生じる弓状振動を行う。第２清掃要素１２１は、第１支持体１１０に形成された開口部１３０を通って延在している。開口部１３０は、第２清掃要素１２１が弓状振動できるように十分大きい円周方向の伸長を有するが（ここでは、円周方向は、図１Ｂに引かれた点鎖線で示される長手方向伸長軸Ｌに対して表され、開口部１３０は、長手方向伸長軸のまわりで湾曲している必要はない）、軸方向の（長手方向伸長軸Ｌにおける）伸長は、縦方向で清掃要素を高密度化できるように、第２清掃要素１２１（ここでは剛毛束として実現される）の軸方向の伸長とほぼ同じ幅しかない（ここでは、軸方向の伸長は、長手方向伸長方向における第２清掃要素１２１の幅である）（換言すれば、選択した設計は、縦方向で第１列１１２と第２列１２２との間の最小距離を実現することを支持し、清掃要素を縦方向で高密度化しており、これは、図３及び図４に関して更に記載される）。縦方向での清掃要素の実現される密度は、互いの上ではなく横並びに配置された第１及び第２支持体で実現可能な密度より高く、これは、剛毛束などの清掃要素の取り付けが、取り付けプロセス中に材料の破損（又は変形）を避けるために、取り付け穴間に支持材料の特定の壁厚を必要とするためである（例えば、アンカーリングでは、約０．８ｍｍ以上の壁厚を有する必要がある）。本発明は、第１及び第２支持体が互いに対して相対的に運動できると共に、共に横方向に延在して少なくとも横方向に重なり合うことができるように、清掃要素の延在方向に対して互いの上に配置された第１支持体１１０及び第２支持体１２０を有することを提案する。これにより、取り付け穴間に必要な壁の重なり合いが可能となり、その結果、横並びの（重なり合わない）構成に比べて全体で縦方向により高密度の清掃要素が実現される。
【００２８】
図示された実施形態は、単なる例示であることに留意すべきである。提案される口腔清掃部分の態様に関する基本的な特徴は、第１支持体及び第２支持体が、互いの上に配置されている（その結果、第１及び第２支持体が横方向に重なり合っている）という事実に依拠する。第２支持体の清掃面には、第２清掃要素が１つだけ取り付けられてもよい。第１及び／又は第２清掃要素は、個々の要素として、列で、配列などで配置されてもよい。第１及び第２清掃要素は、交互の順番で配置されてもよく、あるいは第２清掃要素は、第１支持体に形成された１つの開口部を通って、又は第１支持体に形成されたいくつかの開口部を通って延在してもよい。
【００２９】
図２は、図１Ｂに示される口腔清掃部分１０を線Ａ−Ａに沿って切断した縦断面図である。取り付け構造体１９０の管１９１は、本質的に中空であり、口腔清掃部分１０を口腔清掃装置のハンドル部分の取り付け台に固定するためのスリーブ１８０と、可動に支持された第２支持体１２０に口腔清掃装置の駆動軸を連結するための連結要素１７０とを収容する。口腔清掃装置のハンドル部分の取り付け台及び軸は、開口部１９２を通って中空管１９１に挿入される。連結要素１７０は、駆動軸の軸に形成されたＶ字様の溝に嵌まって連結要素１７０と軸との取外し可能な接続を確立する、Ｖ字様の先端を有するスナップ嵌めフック１７１を含む。このようなスナップフック嵌めは、欧州特許第０  ５００  ５３７  Ｂ１号に記載されており、その開示内容は参照により本明細書に組み込まれる。スリーブ１８０は、取り付け台に固定するバネ様要素を有する。スリーブ１８０及び連結挿入部１７０の詳細は、米国特許第６，５８８，０４２号及び欧州特許第１  ０２３  ００１  Ｂ１号により詳細に説明されており、その開示内容は参照により本明細書に組み込まれる。連結要素１７０は、連結軸１６３により第２支持体１２０に連結され、連結軸１６３は、口腔清掃装置の駆動軸を通じて連結要素１７０に誘導された運動を第２支持体１２０に伝達し、その結果、動作時に、第１支持軸（bearing shaft）１６１及び第２支持軸１６２により画定される縦軸Ｗの本質的にまわりに第２支持体１２０の振動拭い運動が生じる。第１支持軸１６１及び第２支持軸１６２により画定される縦軸Ｗは、口腔清掃部分１０の長手方向伸長軸Ｌに本質的に平行である。図示された例示の実施形態では、第２支持体１２０は、第３支持体１５０と一体化されており、したがって、第３支持体１５０も動作時に前記振動拭い運動を行う。第３支持体１５０は、第２支持軸１６２により第１支持体１１０に可動に支持される。既に説明したように、第２支持体１２０の清掃面１２３に取り付けられた第２清掃要素１２１は、第１支持体１１０に形成された開口部１３０を通って延在しており、したがって、開口部１３０のすぐ近くで第１支持体１１０の清掃面１１３（図１Ａ参照）に取り付けられた第１清掃要素１１１と共に高密度の清掃要素領域を形成する。図示された例では、第３支持体１５０の清掃面に取り付けられた第３清掃要素１５１も、清掃要素領域の部材である。
【００３０】
図２では、第２支持体１２０が第１支持体１１０の下方に配置されていることが分かる。すなわち、第２支持体１２０の清掃面１２３が、第１支持体１１０の（第１支持体の清掃面に対向する）第２面１１４の下方に配置されており、したがって、第１支持体１１０及び第２支持体１２０が横方向に重なり合うことができる。
【００３１】
図３は、図１Ｂに示された口腔ケア部分の「剥き出し」のヘッド部分１００’の清掃面１１３の正面図であるが、ここでは清掃要素を取り付けずに示している。したがって、第１清掃要素を取り付けるための第１取り付け穴１１９が第１支持体１１０に見られ、第２清掃要素を取り付けるための第２取り付け穴１２９が、第１支持体１１０に形成された開口部１３０を通じて第２支持体１２０に見られ、第３清掃要素を取り付けるための第３取り付け穴１５９が第３支持体１５０に見られる。第１取り付け穴１１９及び第２取り付け穴１２９は、清掃要素の密度を列方向で高めるために、凹設された仕切壁（recessed bridge wall）を有する二重束の穴として実現される。多数の区分に細分化された取り付け穴は、欧州特許第１  １３８  ２２２  Ｂ１号に記載されており、その内容は参照により本明細書に組み込まれる。二重穴間の垂直距離ｄ１（線Ｂ−Ｂと一致する長手方向伸長軸に垂直な平面で測定される取り付け穴間の距離）は、ここでは約０．８ｍｍであり、これは、例えば、中間壁を破損又は著しく変形する恐れなく剛毛束の確実なステープリングを保証するために必要とされる。清掃要素の列間の合計縦距離ｄは、第１取り付け穴１１９と開口部１３０の壁との間の壁厚約０．８ｍｍと、第２取り付け穴１２９と開口部壁との間のわずかな距離約０．２ｍｍとにより、ここでは約１ｍｍである（後者の距離により、例えば、開口部１３０を通って延在している剛毛束をわずかに幅広にできる）。第２支持体１２０が第１支持体１１０と横並びに配置される場合（支持体が同じ高さに配置されるか、又は支持体の一方を若干くぼませるかにかかわらず）、第２支持体に必要な約０．８ｍｍの最小壁厚が、第１支持体に必要な０．８ｍｍの壁厚に加えられ、その結果、少なくとも約１．６ｍｍの距離が、清掃要素の列間に生じるであろう。第１支持体及び第２支持体の横並びの構成は、欧州特許出願公開第２  １０７  ８９２  Ａ１号に記載されており、その内容は参照により本明細書に組み込まれる。したがって、第１支持体１１０の下方に配置された第２支持体１２０の提案される構成は、列方向に垂直な方向で清掃要素の密度を高めることができる。したがって、第１清掃要素の列と第２清掃要素の列との間の距離ｄは、約１．６ｍｍ未満にすることができ、距離ｄは、約１．４ｍｍ未満、約１．２ｍｍ未満にすることができ、距離ｄは、約０．８〜１．０ｍｍの範囲内にすることができる。広くは、第１支持体に配置された清掃要素と第２支持体に配置された清掃要素との間の距離は、互いの上に配置された第１支持体と第２支持体との間で横方向の重なり合いが可能になるため、２つの支持体の一方にのみ配置された２つの清掃要素間の距離とほぼ同様に小さくすることができる。
【００３２】
図４は、図３に示される「剥き出し」のヘッド部分１００’の前側部分を、図３に示される線Ｂ−Ｂに沿って切断した縦断面図である。第２支持体１２０は、第１支持軸１６１及び第２支持軸１６２により口腔清掃部分の第１支持体１１０に可動に支持される。第１支持軸１６１の前側部分は、第２支持体１２０に固定されている。第２支持軸１６２は、縦方向に延びており、かつ、第３支持体１５０に固定されており、第２支持体１２０（及び第２支持体１２０と一体化している第３支持体１５０）が、第１支持軸１６１及び第２支持軸１６２により画定される縦軸Ｗのまわりを回転できるように、第１支持体１１０に形成された穴の中へと固定されずに延出している。第２取り付け穴間の壁を横断して断面を切断しているため、第２取り付け穴は見えなくなっている。また、第１取り付け穴の凹設された仕切壁を横断して切断しているため、第１取り付け穴も見えなくなっている。第３取り付け穴１５９は、この切断面で見ることができる。更に、開口部１３０も見ることができる。取り付けられた状態では、第２清掃要素１２１は、図２に示されるように開口部１３０を通って延在している。第２支持体１２０は、ヘッド部分の裏側に露出された第２面１２４を有する。第２面１２４は、テクスチャーを施されてもよく、例えば、一般に当該技術分野において既知のように舌の清掃に好適なエラストマー要素のパターンを提供してもよい。図に見られるように、第２支持体１２０の清掃面１２３は、第１支持体１１０及び第２支持体１２０が縦方向に重なり合うように、第１支持体１１０の第２面１１４の下方に横方向に延在している（ここでは縦方向）。
【００３３】
図５は、図４に示されるように線Ｃ−Ｃに沿って口腔清掃部分のヘッド部分を切断した階段状断面図である。線Ｃ−Ｃは、第１取り付け穴１１９及び第２取り付け穴１２９を横断して切断するように階段状である。第２支持体１２０は、第１支持体１１０により部分的に包囲されている（すなわち、囲まれている）。第２支持体１２０の第２面１２４は、舌などの口腔内に存在する組織に接触させられ得るようにヘッド部分の裏側に露出されている。別の実施形態では、第１支持体は第２支持体を完全に包囲している（すなわち、第２支持体は、第１支持体の内部に完全に収容されており、第２支持体の第２面は露出されていない）。
【００３４】
図６は、ハンドル部分２０と、取外し可能なブラシヘッドとして実現された、提案される口腔清掃部分１０とを含む、電動歯ブラシとして実現された口腔清掃装置１を示す。
【００３５】
本明細書に開示される寸法及び値は、列挙された正確な数値に厳しく制限されるものとして理解されるべきでない。それよりむしろ、特に指定されない限り、それぞれのそのような寸法は、列挙された値とその値周辺の機能的に同等の範囲との両方を意味することを意図する。例えば、「４０ｍｍ」として開示した寸法は、「約４０ｍｍ」を意味することを意図したものである。
【図１Ａ】
0005539531.tif 000002
【図１Ｂ】
0005539531.tif 000003
【図２】
0005539531.tif 000004
【図３】
0005539531.tif 000005
【図４】
0005539531.tif 000006
【図５】
0005539531.tif 000007
【図６】
0005539531.tif 000008